(57)【要約】  【課題】本棚に立て置きした複数の本の中から数冊の本が纏めて取り出した場合に発生する空所を、自動的に埋めることができるようにしたブックエンドを提供する。  【解決手段】平行状態に配設された一対の側板１、２と、一対の側板の間に配置されて両側板の平行状態を保ちながら両側板を互いに遠避ける方向に付勢するＸ字状リンク部材１１、２１と一組の引っ張りばね１９、２９とで形成したリンク機構１０とで主要部を構成し、Ｘ字状リンク部材を形成する各板材の各端部に、ロ−ラ１７ａ〜ｄ、および２７ａ〜ｄを取り付ける一方、側板１、２の各内面に、互いに平行な２本の案内レ−ル６ａ，６ｂおよび７ａ，７ｂを取り付け、案内レ−ル６ａ、６ｂにロ−ラ１７ａ〜１７ｄ、ロ−ラ２７ａ〜２７ｄをそれぞれ移動可能に係合させてスライド式ブックエンドを構成する。  【選択図】図１
2005230386.tif 000002
【特許請求の範囲】
【請求項１】
平行状態に配設された一対の側板と、同一対の側板の間に配置されて両側板の平行状態を保ちながら両側板を互いに遠避ける方向に付勢するリンク機構とを備えたスライド式ブックエンドにおいて、
上記リンク機構が、上記側板の幅方向に配置される一対のＸ字状リンク部材と、同各Ｘ字状リンク部材１１、２１に取り付けられた一組の引っ張りばね１９、２９とを備え、
同各Ｘ字状リンク部材が、同じ長さの２枚の板材の各中央部を、両Ｘ字状リンク部材に共通の枢軸３で回転可能に支持されて形成され、
上記各Ｘ字状リンク部材をそれぞれ形成する各２枚の板材の内の、上記中央部からはなれた互いに対向する箇所に、両Ｘ字状リンク部材に共通の２本のノブ軸４、５が平行状態に枢着され、同各ノブ軸の各ノブ部に、上記一組の引っ張りばねの各両端部がそれぞれ取り付けられ、
上記各Ｘ字状リンク部材をそれぞれ形成する各２枚の板材の内の、各２枚の板材には、スライド式ブックエンドを収縮状態に畳んだ時に、上記各ノブ部を収納可能な凹部がそれぞれ形成され、
上記各Ｘ字状リンク部材をそれぞれ形成する各板材の各端部に、ロ−ラ１７ａ〜ｄ、および２７ａ〜ｄがそれぞれ取り付けられ、
一方、一対の側板１、２の各内面に、各側板１、２の端縁１ａ，２ａに平行でかつ互いに平行な２本の案内レ−ル６ａ，６ｂおよび７ａ，７ｂがそれぞれ取り付けられ、同案内レ−ル６ａにロ−ラ１７ａ，１７ｂが、案内レ−ル６ｂにロ−ラ２７ａ，２７ｂがそれぞれ移動可能に係合し、また、案内レ−ル７ａにロ−ラ１７ｃ，１７ｄが、案内レ−ル７ｂにロ−ラ２７ｃ，２７ｄがそれぞれ移動可能に係合していることを特徴とするスライド式ブックエンド。
【発明の詳細な説明】
【技術分野】
【０００１】
本発明は、本棚などに立て置きされた書籍（本）が傾いたり、倒れたりするのを防止するためのブックエンドに関し、特に本の表面（あるいは裏面）に接触する部分（ブックエンドの側板）位置をスライド式に移動出来るようにしたスライド式ブックエンドに関する。
【背景技術】
【０００２】
一般に、「ブックエンド」と呼ばれている物品は、薄い金属板（あるいは合成樹脂板）を直角に折り曲げて側面視Ｌ字状に形成されている。そして、このような形状のブックエンドは、その垂直部が本棚などに立て置きされた書籍（本）の表面（あるいは裏面）に接触する位置にブックエンド移動させて、本棚などに立て置きされた書籍（本）が傾いたり、あるいは倒れたりするのを防止するのに用いられている。
【０００３】
したがって、上記のような従来のブックエンドでは、本棚などに立て置きされる書籍（本）の数が変わる度毎に、ブックエンドの位置を移動させなければならない、という課題がある。
特に、複数冊の本が本棚などに立て置きされており、それらの中から数冊の本を纏めて取り出すような場合、本棚上に、取り出された数冊の本が占有していた空間に相当する容積の空所が発生する。そうすると、この空所の両側に位置する（複数の）本がこの空所に向かって倒れかかかり、当該空所が塞がれてしまう。次に、取り出した本を元の場所に戻そうとするには、この空所に倒れかかっている本を立て直おして、元通りの空間を創成するとともに、この空間が、両側の本が傾倒して再び埋められてしまうのを阻止しながら、取り出した本を元の場所に戻すという、手間のかかる作業が必要となる、という問題がある。
【０００４】
このような問題に対処するために、従来は、側面視Ｌ字形の（従来形の）ブックエンドを２個用意し、数冊の本を纏めて取り出すことにより発生した空間の両側に、ブックエンドをそれぞれ配置して、上記空間が両側の本により埋められるのを防止するようにしているが、この操作も、上記空間に両側から本が倒れ込むのを阻止しながらの作業となるため、手間のかかる。
【０００５】
しかもこれらの作業は、片方の手で取り出した本を持ちながら他方の手だけで行うことになるため、取り出した本が重い場合、極めて困難な作業となる、という課題がある。
【発明の開示】
【発明が解決しようとする課題】
【０００６】
本発明は、上述した従来のブックエンドの有する課題を解決しようとするもので、本棚などに立て置きされた複数の本の中から数冊の本が纏めて取り出された場合、本棚上に発生する取り出された数冊の本が占有していた空間に相当する容積の空所を、ブックエンドの両側板がスライドして同空間を自動的にブックエンドにより埋めて、上記空間を保持できるようにしたスライド式ブックエンドを提供しようとするものである。
【課題を解決するための手段】
【０００７】
本発明は、平行状態に配設された一対の側板と、同一対の側板の間に配置されて両側板の平行状態を保ちながら両側板を互いに遠避ける方向に付勢するリンク機構とを備えたスライド式ブックエンドにおいて、
上記リンク機構を、上記側板の幅方向に配置される一対のＸ字状リンク部材と、同各Ｘ字状リンク部材１１、２１に取り付けられた一組の引っ張りばね１９、２９とで構成し、  同各Ｘ字状リンク部材を、同じ長さの２枚の板材の各中央部を、両Ｘ字状リンク部材に共通の枢軸３で回転可能に支持させる一方、上記各Ｘ字状リンク部材をそれぞれ形成する各２枚の板材の内の、上記中央部からはなれた互いに対向する箇所に、両Ｘ字状リンク部材に共通の２本のノブ軸４、５を平行状態に枢着して形成し、
上記各ノブ軸の各ノブ部に、上記一組の引っ張りばねの各両端部をそれぞれ取り付け、  上記各Ｘ字状リンク部材をそれぞれ形成する各２枚の板材の内の、各２枚の板材には、スライド式ブックエンドを収縮状態に畳んだ時に、上記各ノブ部を収納可能な凹部をそれぞれ形成し、
上記各Ｘ字状リンク部材をそれぞれ形成する各板材の各端部に、ロ−ラ１７ａ〜ｄ、および２７ａ〜ｄをそれぞれ取り付け、
一方、一対の側板１、２の各内面に、各側板１、２の端縁１ａ，２ａに平行でかつ互いに平行な２本の案内レ−ル６ａ，６ｂおよび７ａ，７ｂをそれぞれ取り付け、同案内レ−ル６ａにロ−ラ１７ａ，１７ｂを、案内レ−ル６ｂにロ−ラ２７ａ，２７ｂをそれぞれ移動可能に係合させ、また、案内レ−ル７ａにロ−ラ１７ｃ，１７ｄを、案内レ−ル７ｂにロ−ラ２７ｃ，２７ｄをそれぞれ移動可能に係合させて課題を解決するための手段としている。
【０００８】
本発明によれば、本棚などに複数冊の本を立て置きしておく場合、ある本とその本に隣接する本との間にこのスライド式ブックエンドを予め介在させておくと、本の取り出しにより空間が発生した時、引っ張りばねの作用で両側板が拡張方向に移動して、その空間を直ちに埋めるので、本棚上で本が傾いたり、倒れたりするのを自動的に防止できる。
あるいは、スライド式ブックエンドを収縮状態にしておき、これを、本の取り出しにより発生する空間に、素早く挿入して、上記と同様に、引っ張りばねの作用で本の取り出しにより発生する空間を自動的に埋めるような使い方もできる。
【発明の効果】
【０００９】
上述の通り、本発明のスライド式ブックエンドでは、ブックエンドを構成する両側の側板が、引っ張りばねの作用で常に本の表面（あるいは裏面）に強い押圧力で接触するようになっているので、本の取り出しにより空間が発生すると、ブックエンドは拡開（両側の側板が互いに離れる方向にスライド）して、両側の側板が本の取り出しにより発生した空間を埋めるよう作動する。したがって、上記空間内に同空間の両側（片側のこともある）に位置する本が傾いたり、倒れたりして、同空間が本により埋められることを自動的に防止することができる。
【発明を実施するための最良の形態】
【００１０】
以下、図に示す実施形態により具体的に説明する。
図１は本発明に係るスライド式ブックエンドの拡開状態を示す正面図、図２は同斜視図、図３は同収縮状態を示す正面図である。
【００１１】
図１〜３において、符号１、２は、後述のリンク機構１０により、常に平行状態を保持しながら図１の左右方向に移動可能なた一対の側板を示しており、一対の側板１、２間に、両側板１、２を互いに遠避ける方向に付勢するリンク機構１０が設けられている。この実施形態では、各側板１、２は平面視四辺形で、ほぼ同一の形状に形成されている。
リンク機構１０は、上記側板の幅方向（図１の前後方向）に配置される一対のＸ字状リンク部材１１、２１と、各Ｘ字状リンク部材１１、２１に取り付けられた一組の引っ張りばね１９、２９とを備えている。
【００１２】
各Ｘ字状リンク部材１１、２１は、同じ長さの２枚の板材１２ａ、１２ｂ，２２ａ，２２ｂと、各板材の各中央部を、両Ｘ字状リンク部材１１、２１に共通の枢軸３で回動可能に支持されて形成されている。
各Ｘ字状リンク部材１１、２１をそれぞれ形成する各２枚の板材の、上記中央部からはなれた互いに対向する箇所に、両Ｘ字状リンク部材１１、２１に共通の２本のノブ軸４、５が平行状態に枢着されており、各ノブ軸４、５の各ノブ部４ａ、４ｂに、一組の引っ張りばね（コイルばね）１９、２９の各両端部がそれぞれ取り付けられている。
【００１３】
さらに、各Ｘ字状リンク部材１１、２１をそれぞれ形成する各２枚の板材には、スライド式ブックエンドを収縮状態に畳んだ時に、各ノブ部４ａ、４ｂを収納可能な凹部６ａ，６ｂ，２６ａ，２６ｂがそれぞれ形成されている。
【００１４】
各Ｘ字状リンク部材１２、２１をそれぞれ形成する各板材１２ａ、１２ｂ，２２ａ，２２ｂの各端部に、ロ−ラ１７ａ〜ｄ、および２７ａ〜ｄがそれぞれ取り付けられている。
一方、一対の側板１、２の各内面に、各側板１、２の長さ方向端縁１ａ，２ａに平行でかつ互いに平行な２本の案内レ−ル６ａ，６ｂおよび７ａ，７ｂがそれぞれ取り付けられている。そして、案内レ−ル６ａにロ−ラ１７ａ，１７ｂが、案内レ−ル６ｂにロ−ラ２７ａ，２７ｂがそれぞれ移動可能に係合し、また、案内レ−ル７ａにロ−ラ１７ｃ，１７ｄが、案内レ−ル７ｂにロ−ラ２７ｃ，２７ｄがそれぞれ移動可能に係合している。
【００１５】
図１、２は、この実施形態のスライド式ブックエンドの拡開状態を示している。また、図３はこの実施形態のスライド式ブックエンドが、例えば手の親指と人差し指とで挟まれて、畳まれた状態を示している。この時ばね１９、２９は引き延ばされた状態にある。
スライド式ブックエンドをこの畳まれた状態に保持しながら、本の取り出しにより発生した空間に置き、指を離すと、ブックエンドを構成する両側の側板１、２が、ばね１９、２９の復元力（収縮力）により、空間の両側（片側のこともある）に位置する本の表面（あるいは裏面）に強い押圧力で接触する、つまり、ブックエンドは拡開（両側の側板が互いに離れる方向にスライド）する。その結果、両側の側板が本の取り出しにより発生した空間を埋めるよう作動する。したがって、上記空間が、同空間の両側（片側のこともある）に位置する本により埋められることを自動的に防止することができる。
【００１６】
また、この実施形態のスライド式ブックエンドでは、畳まれた時、Ｘ字状リンク部材１１、２１をそれぞれ形成する各２枚の板材に形成されている凹部６ａ，６ｂ，２６ａ，２６ｂに、各ノブ部４ａ、４ｂ（ノブ部４ａ、４ｂはノブ軸４、５の両端部に突設している）が収納される構成となったいるので、スライド式ブックエンドを収縮状態に畳んだ時の厚みを極めて薄くすることができる。
【００１７】
この場合、一対の側板１、２は、同じ長さの２枚の板材１２ａ、１２ｂ，および２２ａ，２２ｂの各中央部を枢軸で回転可能に連結して構成され、かつ側板１、２の幅方向に配置される１組のＸ字状リンク部材１２、２１に案内されて移動する構成となっているから、一対の側板１、２は常に平行で、垂直状にスライドする。したがって、側板１、２の本の表面（あるいは裏面）に対する押圧力は均等なものとなり、スム−ズなスライドが可能となる。また、各Ｘ字状リンク部材１２、２１の各端部は、ロ−ラ１７ａ〜ｄおよび２７ａ〜ｄを介して、案内レ−ル６ａ，６ｂおよび７ａ，７ｂにそれぞれ移動可能に係合しているので、引っ張りばね１９、２９の復元力を効果的に側板１、２の移動に利用することが可能となる。
【００１８】
このスライド式ブックエンドは、本棚などに複数冊の本を立て置きしておく場合、本の間に予め介在させておく（ある本と本との間に挟んでおく）ことにより、本の取り出しにより発生する空間を自動的に埋めるように作用させることができる。
あるいは、スライド式ブックエンドを収縮状態にしておき、これを、本の取り出しにより発生する空間に、素早く挿入して、引っ張りばねの作用で本の取り出しにより発生する空間を自動的に埋めるような使い方もできる。また、図１、２に示す状態から９０°回転させた状態での使用も可能である。
【図面の簡単な説明】
【００１９】
【図１】本発明に係るスライド式ブックエンドの拡開状態を示す正面図である。
【図２】同斜視図である。
【図３】同収縮状態を示す正面図である。
【符号の説明】
【００２０】
１、２：側板
３：枢軸
４、５：ノブ軸
６ａ，６ｂ，７ａ，７ｂ：案内レ−ル
１０：リンク機構
１１、２１：Ｘ字状リンク部材
１２ａ、１２ｂ，２２ａ，２２ｂ：同じ長さの板材
１７ａ，１７ｂ、１７ｃ，１７ｄ：ロ−ラ
１９、２９：一組の引っ張りばね
２７ａ，２７ｂ，２７ｃ，２７ｄ：ロ−ラ
【図１】
2005230386.tif 000003
【図２】
2005230386.tif 000004
【図３】
2005230386.tif 000005